(57)【要約】【課題】ドレン配管を排水路に接続する専用の排水配管工事を必要としないミストサウナ装置及びそのミストサウナ装置を搭載する浴室暖房乾燥機を提供すること。【解決手段】ミストサウナ装置１０が、浴室内暖房用熱交換器用温水配管４４とドレンパン２５を接続するドレン配管２６と、ドレン配管２６上に配置されたドレン排水ポンプ２７及びドレン電磁弁２８と、ドレンパン２５に溜まったドレン水の水位を測定する水位センサ３０と、水位センサ３０の測定値に基づいて、温水配管４４に熱交換用温水を送る暖房用ポンプ４７、ドレン排水ポンプ２７、及び、ドレン電磁弁２８を制御するミストサウナ制御手段３１と、を有し、水位センサ３０の測定値が排水必要水位以上になった場合に、暖房用ポンプ４７を停止させた後、ドレン排水ポンプ２７及びドレン電磁弁２８とを駆動することにより、ドレンパン２５に溜まったドレン水を、温水配管４４に送り込む。【選択図】    図１
2014018596.tif 000002
【特許請求の範囲】
【請求項１】
ミストを浴室へ供給するミスト用通風路と、ミスト用温水を発生させるためのミスト用熱交換器と、ミストを噴霧するミストノズルと、噴霧されたミストが前記ミスト用通風路内で結露して生じるドレン水を溜めるドレンパンとを有するミストサウナ装置において、
浴室内暖房用熱交換器用温水配管と、前記ドレンパンとを接続するドレン配管と、
前記ドレン配管上に配置されたドレン排水ポンプ、及びドレン電磁弁と、
前記ドレンパンに溜まった前記ドレン水の水位を測定する水位センサと、
前記水位センサの測定値に基づいて、前記浴室内暖房用熱交換器用温水配管に熱交換用温水を送るための暖房用ポンプ、前記ドレン排水ポンプ、及び、前記ドレン電磁弁を制御するミストサウナ制御手段と、を有し、
前記ミストサウナ制御手段は、前記水位センサの測定値が前記ドレンパンに溜まった前記ドレン水を排水する基準となる排水必要水位以上になった場合に、前記暖房用ポンプを停止させた後、前記ドレン排水ポンプ及び前記ドレン電磁弁とを駆動することにより、前記ドレンパンに溜まったドレン水を、前記浴室内暖房用熱交換器用温水配管に送り込むこと、
を特徴とするミストサウナ装置。
【請求項２】
請求項１に記載するミストサウナ装置において、
前記ドレンパンに溜まるドレン水の量が５００ｍｌ以下であること、
前記暖房用ポンプを停止させる時間が、６０秒以内であること、
を特徴とするミストサウナ装置。
【請求項３】
請求項１又は請求項２に記載するミストサウナ装置を搭載することを特徴とする浴室暖房乾燥機。
【発明の詳細な説明】
【技術分野】
【０００１】
本発明は、浴室をミストサウナ状態にするミストサウナ装置及びそのミストサウナ装置を搭載した浴室暖房乾燥機に関する。
【背景技術】
【０００２】
浴室をミストサウナ状態にするミストサウナ装置は、様々な装置が存在する。浴室をミストサウナ状態にする方法には、例えば、６０℃から７０℃程度の温水をノズルで粒径１００μｍ程度のミストを噴霧することにより、浴室やシャワー室の温度と湿度を上昇させ浴室内をサウナ状態にする方法、また、ノズルから噴霧されたミストを高速回転するファンに当ててミストを微細化したり、超音波を用いて微細ミストを生成することにより、粒径が１μｍ以下のマイクロミストを発生させ、そのマイクロミストを温風に乗せて浴室へ送り出すことにより、浴室やシャワー室の温度と湿度を上昇させ、サウナ状態を作り出す方法がある。粒径が１μｍ以下のマイクロミストを使用するのは、浴室内や身体を濡らさず、入浴者が快適にミストサウナを利用できるようにするためである。このようなミストサウナ装置は、血流促進効果、体温保温効果、リラックス効果、美容効果など、種々の面で優れ、注目されている。
【０００３】
図９は、従来のミストサウナ装置１１０を搭載する浴室暖房乾燥機１０１の断面図である。
浴室暖房乾燥機１０１は、暖房用通風路１０４から送り出される温風にマイクロミストを乗せるように、ミストサウナ装置１１０が搭載されている。浴室暖房乾燥機１０１は、往き配管１０６と戻り配管１０７が外付けされ、図示しない熱源機で加熱された熱媒体（水、不凍液等）がハウジング１０２内の放熱器１０５と液液熱交換器１１４に供給されるようになっている。浴室暖房乾燥機１０１は、マイクロミストモードが設定されると、放熱器１０５と液液熱交換器１１４が熱媒体により予熱される。放熱器１０５と液液熱交換器１１４の予熱が完了すると、ミスト用給水電磁弁１０９が開弁し、液液熱交換器１１４で加熱されたミスト用温水がノズル水路１１６を介してミストノズル１１１に供給される。浴室暖房乾燥機１０１は、暖房用ファン１０３を作動させると、浴室の空気が吸込み口１２０から吸い込まれて放熱器１０５により加熱され、暖房用吹出し口１２１より温風となって浴室へ送り出されている。ミストノズル１１１がミスト用通風路１１２へ噴霧したミストは、ミスト用通風路１１２の一部に設けられたミスト用吹き出し口１２２より温風に乗って浴室へ供給され、浴室が高温多湿なミストサウナ状態になる。
【０００４】
ミストノズル１１１が発生したミストのうち粒径の大きいものは、浴室へ供給されずに、ミスト用通風路１１２の内壁に結露し、ドレン受け（ドレンパン）１１３に溜められる。ドレンパン１１３に溜まったドレン水は、排水ポンプ１１９によりドレン水用排水路１１８へ吸い上げられ、排水路１０８へ排出される（例えば特許文献１参照）。
【先行技術文献】
【特許文献】
【０００５】
【特許文献１】特開２００８−２３１５３号公報（段落［００２１］、［００２５］等）
【発明の概要】
【発明が解決しようとする課題】
【０００６】
しかしながら、従来の浴室暖房乾燥機１０１は、ミストサウナ装置１１０を搭載することにより、放熱器１０５と液液熱交換器１１４の加熱に使用される熱媒体が流れる往き配管１０６と戻り配管１０７を接続する配管作業の他に、ドレン用排水路１１８を排水路１０８に接続する専用の排水配管工事が必要であった。そのため、ミストサウナ装置１１０を適用する浴室暖房乾燥機１０１は、ミストサウナ装置１１０を適用しない浴室暖房乾燥機１０１と比べ、専用の排水配管工事を行うための手間や施工費がかかってしまっていた。
【０００７】
本発明は、上記問題点を解決するためになされたものであり、ドレン配管を排水路に接続する専用の排水配管工事を必要としないミストサウナ装置及びそのミストサウナ装置を搭載する浴室暖房乾燥機を提供することを目的とする。
【課題を解決するための手段】
【０００８】
本発明に係るミストサウナ装置及びそのミストサウナ装置を搭載する浴室暖房乾燥機は、次のような構成を有している。
（１）ミストを浴室へ供給するミスト用通風路と、ミスト用温水を発生させるためのミスト用熱交換器と、ミストを噴霧するミストノズルと、噴霧されたミストが前記ミスト用通風路内で結露して生じるドレン水を溜めるドレンパンとを有するミストサウナ装置において、浴室内暖房用熱交換器用温水配管と、前記ドレンパンとを接続するドレン配管と、前記ドレン配管上に配置されたドレン排水ポンプ、及びドレン電磁弁と、前記ドレンパンに溜まった前記ドレン水の水位を測定する水位センサと、前記水位センサの測定値に基づいて、前記浴室内暖房用熱交換器用温水配管に熱交換用温水を送るための暖房用ポンプ、前記ドレン排水ポンプ、及び、前記ドレン電磁弁を制御するミストサウナ制御手段と、を有し、前記ミストサウナ制御手段は、前記水位センサの測定値が前記ドレンパンに溜まった前記ドレン水を排水する基準となる排水必要水位以上になった場合に、前記暖房用ポンプを停止させた後、前記ドレン排水ポンプ及び前記ドレン電磁弁とを駆動することにより、前記ドレンパンに溜まったドレン水を、前記浴室内暖房用熱交換器用温水配管に送り込むこと、を特徴とする。
【０００９】
（２）（１）に記載するミストサウナ装置において、前記ドレンパンに溜まるドレン水の量が５００ｍｌ以下であること、前記暖房用ポンプを停止させる時間が、６０秒以内であること、を特徴とする。
【００１０】
（３）（１）又は（２）に記載するミストサウナ装置を搭載することを特徴とする浴室暖房乾燥機である。
【発明の効果】
【００１１】
上記ミストサウナ装置は、ミストを浴室へ供給するミスト用通風路と、ミスト用温水を発生させるためのミスト用熱交換器と、ミストを噴霧するミストノズルと、噴霧されたミストがミスト用通風路内で結露して生じるドレン水を溜めるドレンパンとを有するミストサウナ装置において、浴室内暖房用熱交換器用温水配管とドレンパンとを接続するドレン配管と、ドレン配管上に配置されたドレン排水ポンプ、及びドレン電磁弁と、ドレンパンに溜まったドレン水の水位を測定する水位センサと、水位センサの測定値に基づいて、浴室内暖房用熱交換器用温水配管に熱交換用温水を送るための暖房用ポンプ、ドレン排水ポンプ、及び、ドレン電磁弁を制御するミストサウナ制御手段と、を有し、ミストサウナ制御手段が、水位センサの測定値がドレンパンのドレン水を排水する基準となる排水必要水位以上になった場合に、暖房用ポンプを停止させた後、ドレン排水ポンプ及びドレン電磁弁とを駆動することにより、ドレンパンに溜まったドレン水を、浴室内暖房用熱交換器用温水配管に送り込むので、ドレン配管を浴室の排水路に接続する専用の排水配管工事を必要としない。
【００１２】
また、上記ミストサウナ装置は、ドレンパンに溜まるドレン水の量が５００ｍｌ以下であり、暖房用ポンプを停止させる時間が、６０秒以内であるので、ドレン水の排水のために熱交換用温水の供給を停止する時間が短くて済み、ミストの発生動作の途中にドレン水を円滑に排水することができる。
【００１３】
上記ミストサウナ装置を搭載する浴室暖房乾燥機によれば、ミストサウナ装置を搭載していても、排水配管工事をしないで浴室に設置することができる。
【図面の簡単な説明】
【００１４】
【図１】本発明の実施形態に係るミストサウナ装置の概略配管構成図である。
【図２】図１に示す浴室暖房乾燥機の内部構造を示す概略図である。
【図３】ミストサウナ制御手段のブロック図である。
【図４】ミストサウナ制御プログラムのフローである。
【図５】参考例１のミストサウナ装置の概略構成図である。
【図６】参考例２のミストサウナ装置の概略構成図である。
【図７】参考例２のミストサウナ装置に使用される温水配管の構造を説明する図である。
【図８】参考例２のミストサウナ装置に使用される分岐継手の構造を示す図である。
【図９】従来のミストサウナ装置を搭載する浴室暖房乾燥機の断面図である。
【発明を実施するための形態】
【００１５】
以下に、本発明に係る好ましい実施形態について、図面を参照しつつ詳細に説明する。
【００１６】
図２は、本発明の第１実施形態に係るミストサウナ装置１０を組み込んだ浴室暖房乾燥機１の内部構造を示す概略図である。
図２に示す浴室暖房乾燥機１は、例えば、浴室２の天井３に埋め込むようにして設置される。浴室暖房乾燥機１は、温風発生手段４が発生した温風を通風路９（ミスト用通風路の一例）を介して開口部５から浴室２へ送り出し、浴室２の暖房・乾燥を行う。また、浴室暖房乾燥機１は、本体ケース８に内設された換気扇６が、排気管７を介して外気と連通し、浴室２の換気を行う。このような浴室暖房乾燥機１には、ミストサウナ装置１０が組み込まれ、浴室の暖房・乾燥機能の他に、浴室２を高温多湿のミストサウナ状態にするミストサウナ機能を備える。
【００１７】
ミストサウナ装置１０は、温水供給手段１１、ドレンパン２５、温風発生手段４などで構成されている。温水供給手段１１は、浴室暖房乾燥機１の本体ケース８に外付けされ、ミストノズル１６から通風路９のマイクロミスト発生手段１２へ向けて温水を噴霧する。マイクロミスト発生手段１２は、ミストノズル１６から噴霧された温水を、マイクロミスト化する。マイクロミストは、温風発生手段４が発生した温風に乗って、通風路９から開口部５を介して浴室２へ流れ、浴室２の室温と湿度を上げる。
【００１８】
ところで、ミストサウナを効率よく運転する上では、ミストノズル１６から噴霧される温水を全てマイクロミスト化して浴室２へ供給することが好ましい。しかし、ミストノズル１６から噴霧される温水を全てマイクロミスト化することは、実質的に難しい。そのため、通風路９には、フィルタ１３が配置され、粒径の大きいミストを除去するようにしている。そして、ドレンパン２５は、フィルタ１３の下方に配置され、ミストノズル１６から噴霧されたミストが通風路９内で結露して生じたドレン水を回収する。
【００１９】
このような浴室暖房乾燥機１は、ミストサウナ装置１０が暖房・乾燥用の温風発生手段４を共用するので、装置サイズをコンパクトにできると共に、部品点数を減らしてコストダウンを図ることができる。
【００２０】
図１は、本発明の実施形態に係るミストサウナ装置１０の温水供給手段１１の概略配管構成図である。
ミストサウナ装置１０は、温風発生手段４が浴室内暖房用熱交換器（以下「熱交換器」ともいう。）４３を内蔵している。熱交換器４３は、浴室内暖房用熱交換器用温水配管（以下「温水配管」ともいう。）４４を介して熱源機４１のシスターン４２に接続されている。温水配管４４は、シスターン４２に溜められた熱交換用温水（熱媒体の一例）を熱交換器４３へ供給する往き配管４５と、熱交換器４３で熱回収された熱交換用温水をシスターン４２へ戻す戻り配管４６を備える。往き配管４５には、暖房用ポンプ４７が配設され、シスターン４２から熱交換器４３へ送り出す熱交換用温水の流量や水圧が管理されている。一方、戻り配管４６には、暖房用電磁弁４８が配設され、熱交換器４３からシスターン４２へ戻る熱交換用温水の流れを制御している。
【００２１】
ミストサウナ装置１０は、ミスト用熱交換器２１を内蔵している。ミスト用熱交換器２１には、ミスト用給水配管３７とミスト用暖房配管２２とミスト用温水供給配管３９が接続している。ミスト用給水配管３７は、水道水をミスト用熱交換器２１に供給するものである。ミスト用暖房配管２２は、ミスト用熱交換器２１と温水配管４４を接続している。ミスト用暖房配管２２は、ミスト用往き配管２４とミスト用戻り配管２３により構成されている。ミスト用往き配管２４は、往き配管４５の暖房用ポンプ４７より下流側に接続され、暖房用ポンプ４７が発生する水圧によって、熱交換用温水がミスト用熱交換器２１に供給されるようになっている。一方、ミスト用戻り配管２３は、戻り配管４６の暖房用電磁弁４８と熱交換器４３との間に接続されている。ミスト用温水供給配管３９は、ミスト用熱交換器２１とミストノズル１６を接続している。ミスト用給水電磁弁３８は、ミスト用温水供給配管３９上に配設され、ミストノズル１６から噴霧されるミスト用温水を制御している。このように配管が構成されたミスト用熱交換器２１は、シスターン４２の熱交換用温水と水道水との間で熱交換を行うことにより温度調整したミスト用温水をノズル１６へ供給する。
【００２２】
ドレンパン２５は、ドレン水を溜める量が５００ｍｌ以下という容量の小さい容器である。ミストサウナ装置１０が、ミストノズル１６から毎分１５０ｃｃ以下という少量でミスト用温水を噴霧するため、ドレンパン２５の容量も小さくされている。
【００２３】
ドレン配管２６は、ドレンパン２５と戻り配管４６を接続し、ドレンパン２５のドレン水を戻り配管４６に流すことができるようにしている。ドレンパン２５から排水されるドレン水は最大でも５００ｍｌであり、ドレン配管２６を流れるドレン水の流量及び水圧は、温水配管４４を流れる熱交換用温水の流量及び水圧より大幅に小さい。そのため、ドレン配管２６は、戻り配管４６の暖房用電磁弁４８より下流側に接続し、暖房用電磁弁４８を弁閉状態にして温水配管４４の流れを止めることにより、ドレン水を戻り配管４６に排水しやすくしている。
【００２４】
ドレン配管２６には、ドレンパン２５側から戻り配管４６側へ向かって順に、ドレン排水ポンプ２７とドレン電磁弁２８と逆止弁２９が配設されている。
【００２５】
ドレン排水ポンプ２７は、ドレンパン２５のドレン水を戻り配管４６へ送り出すために設けられている。ドレン排水ポンプ２７は、容量の小さいドレンパン２５からドレン水を吸い込むため、小型のものが使用されている。ドレン排水ポンプ２７のポンプ圧は、暖房用ポンプ４７のポンプ圧より小さいものの、暖房用ポンプ４７の駆動を停止させるとともに暖房用電磁弁４８を弁閉した場合における暖房用電磁弁４８の下流側水圧より高くなるように、設定されている。ドレン水をドレン配管２６から戻り配管４６へ合流させるためである。
【００２６】
ドレン電磁弁２８は、ドレン水を戻り配管４６へ戻すタイミングを制御するために、ドレン排水ポンプ２７より戻り配管４６側に配置されている。
逆止弁２９は、温水配管４４を流れる温水が、ドレンパン２５へ流れ込んで溢れることを防ぐために、ドレン電磁弁２８より戻り配管４６側に設けられている。
ドレンパン２５には、水位センサ３０が設けられ、ドレン水の量を検知できるようになっている。
【００２７】
本実施形態のミストサウナ装置１０は、ミスト用温水配管２２（ミスト用往き配管２４、ミスト用戻り配管２３）と、ドレン配管２６（ドレン排水ポンプ２７、ドレン電磁弁２８、逆止弁２９）が、ミストサウナ装置１０内において温水配管４４（往き配管４５、戻り配管４６）に接続されている。そのため、浴室暖房乾燥機１には、往き配管４５と戻り配管４６を接続するための接続口が設けられている。このように配管を構成したことにより、ミストサウナ装置１０を搭載する浴室暖房乾燥機１は、その設置時に、往き配管４５と戻り配管４６及びミスト用給水配管３７を接続する配管作業のみを行えばよいようになっている。
【００２８】
このようなミストサウナ装置１０は、ミストサウナ制御手段３１により、ミストの供給動作が制御される。
【００２９】
図３は、ミストサウナ制御手段３１のブロック図である。
ミストサウナ制御手段３１は、周知のマイクロコンピュータであって、データの加工・演算を行う中央演算処理装置（ＣＰＵ）３２や、データを記憶するメモリ３３や、外部装置との信号の送受信を制御する入出力インターフェース３４などを備える。
【００３０】
メモリ３２には、ミストサウナ装置１０の運転制御を行うためのミストサウナ制御プログラム３５が記憶されている。
また、入出力インターフェース３４には、ドレン排水ポンプ２７、ドレン電磁弁２８、水位センサ３０、暖房用ポンプ４７、暖房用電磁弁４８、リモコン４９、及び、ミスト用給水電磁弁３８が信号を送受信可能に接続されている。リモコン４９は、浴室暖房乾燥機１の運転設定を行うもので、浴室２の壁などに取り付けられている。
【００３１】
上記構成の浴室暖房乾燥機１及びミストサウナ装置１０は、待機時に、暖房用ポンプ４７とドレン排水ポンプ２７を停止させ、暖房用電磁弁４８とドレン電磁弁２８を弁閉状態にしている。この状態では、浴室暖房乾燥機１及びミストサウナ装置１０は、温風もマイクロミストも浴室２へ供給しない。
【００３２】
浴室暖房乾燥機１及びミストサウナ装置１０は、ユーザがリモコン４９にミストサウナモードを設定した場合には、ミストサウナ制御手段３１が、ミストサウナ制御プログラム３５を実行し、マイクロミストを浴室２へ供給することにより浴室２を高温多湿のミストサウナ状態にする。以下、このミストサウナ制御手段３１（ミストサウナ装置１０）の動作について、図４を参照して説明する。図４は、ミストサウナ制御プログラム３５のフローである。
【００３３】
ミストサウナ制御手段３１は、まずステップ１（以下「Ｓ１」ともいう）において、暖房用ポンプ４７を駆動し、Ｓ２において、暖房用電磁弁４８を弁閉状態から弁開状態に切り換える。これにより、シスターン４２に溜まった熱交換用温水が往き配管４５、浴室内暖房用熱交換器４３、戻り配管４６へ流れ、浴室内暖房用熱交換器３２は熱交換用温水の熱により空気を温める。温められた空気は、温風発生手段４から通風路９を介して浴室２へ供給される。これと同時に、温水配管４４を流れる熱交換用温水は、往き配管４５からミスト用往き配管２４、ミスト用熱交換器２１、ミスト用戻り配管２３へ流れ、ミスト用熱交換器２１が加熱される。ミスト用熱交換器２１で熱回収された熱交換用温水は、ミスト用戻り配管２３を介してミスト用熱交換器２１から戻り配管４６へ戻され、シスターン４２へ戻る。ミスト用熱交換器２１は、熱交換用温水の熱により水道水を加熱する。このようにして、Ｓ３において、浴室内暖房用熱交換器４３及びミスト用熱交換器２１の予熱を完了させる。Ｓ４において、ミスト用給水電磁弁３８が弁閉状態から弁開状態に切り換えられることにより、ミスト用熱交換器２１内にて加熱されたミスト用温水がミストノズル１６へ供給される。ミスト用温水は、ミストノズル１６から通風路９へ噴霧されると、温風に乗って浴室２へ供給される。
【００３４】
次に、Ｓ５において、ミストサウナ制御手段３１は、水位センサ３０が検知した水位に基づいて、ドレン水が排水必要水位以上であるか否かを判断する。「排水必要水位」とは、ドレンパン２５に溜まったドレン水を排水する基準となる水位をいう。この判断を行うことにより、マイクロミスト発生前に、入浴中に発生した蒸気が結露してドレンパン２５に溜まったドレン水が、ドレンパン２５から溢れる可能性があるか否かを確認できる。
【００３５】
ドレン水が排水必要水位未満である場合には（Ｓ５：ＮＯ）、マイクロミストを発生しても、ドレンパン２５からドレン水が溢れる可能性が低い。そこで、ミストサウナ制御手段３１は、Ｓ６において、マイクロミストモードが終了したか否かを判断する。マイクロミストモードの終了は、浴室２が設定温度・設定時間に到達したことや、設定時間の経過、ユーザがリモコン４９によりマイクロミストモードの終了を設定すること等により、検知される。
【００３６】
マイクロミストモードが終了していない場合には（Ｓ６：ＮＯ）、Ｓ５へ戻り、ドレン水が排水必要水位以上であるか否かを判断する。これにより、マイクロミストを発生しながら、ドレンパン２５に溜まったドレン水の水量を監視する。
【００３７】
ドレン水が排水必要水位未満である場合には（Ｓ６：ＮＯ）、ドレン水をドレンパン２５から排水する必要がないので、上記Ｓ５〜Ｓ６の処理を繰り返し、マイクロミストを温風に乗せて浴室２へ供給し続ける。
【００３８】
それに対して、ドレン水が排水必要水位以上である場合には（Ｓ５：ＹＥＳ）、ドレン水がドレンパン２５から溢れる可能性がある。ドレンパン２５は容量が小さい。ドレン水の流量と水圧は、温水配管４４を循環する熱交換用温水の流量と水圧より、大幅に小さい。よって、温水配管４４に熱交換用温水を循環させたまま、ドレン電磁弁２８を弁開状態にしてドレン排水ポンプ２７を駆動しても、ドレン水がドレン配管２６から戻り配管４６へ合流できない。そこで、ミストサウナ制御手段３１は、Ｓ７において、暖房用ポンプ４７を停止させ、熱交換用温水を温水配管４４へ送り出すことを中断する。そして、Ｓ８において、暖房用電磁弁４８を弁開状態から弁閉状態に切り変えることにより、ミスト配管２６と戻り配管４６の合流点Ｘに熱交換用温水が流れないようにして、合流点Ｘの水圧を下げる。
【００３９】
次に、ミストサウナ制御手段３１は、Ｓ９において、ドレン電磁弁２８を弁閉状態から弁開状態に切り換え、ドレンパン２５のドレン水がドレン配管２６に流れるようにする。そして、ミストサウナ制御手段３１は、Ｓ１０において、ドレン排水ポンプ２７を駆動する。ドレン排水ポンプ２７のポンプ圧は、暖房用ポンプ４７の駆動を停止させるとともに暖房用電磁弁４８を弁閉した場合における合流点Ｘの水圧より高くなるように、設定されている。そのため、ドレンパン２５のドレン水は、ドレン排水ポンプ２７のポンプ圧により、ドレン配管２６から戻り配管４６の合流点Ｘへ送り込まれ、排水される。
【００４０】
Ｓ１１において、ミストサウナ制御手段３１は、水位センサ３０の検知結果に基づいて、ドレンパン２５にドレン水が無くなったか否かを判断する。ドレン水がドレンパン２５に残っている間は（Ｓ１１：ＮＯ）、ドレン水の排水を続ける。
【００４１】
一方、ドレン水がドレンパン２５に無くなった場合には（Ｓ１１：ＹＥＳ）、Ｓ１２において、ドレン電磁弁２８を弁開状態から弁閉状態に切り換え、ドレン配管２６と戻り配管４６を非導通状態にする。熱交換用温水が、戻り配管２４からドレン配管２６を介してドレンパン２５へ流れ込むことを防止するためである。そして、Ｓ１３において、ドレン排水ポンプ２７を停止し、ドレン水を戻り配管４６へ送り込むのを中止する。そして、ミストサウナ制御手段３１は、Ｓ１４において、暖房用ポンプ４７を駆動し、Ｓ１５において、暖房用電磁弁４８を弁閉状態から弁開状態に切り換えることにより、熱交換用温水を温水配管４４に再循環させ、マイクロミストの供給を再開する。このようにしてドレン水の排水中止とマイクロミストの供給再開を行ったら、ミストサウナ制御手段３１は、Ｓ６へ戻る。
【００４２】
ここで、ドレンパン２５に溜まるドレン水の量は５００ｍｌ以下であり、ドレンパン２５から戻り配管４６へ排水されるドレン水の量は、温水配管４４を流れる熱交換用温水の量に対して極めて少ない。そのため、ドレン水の排水時に暖房用ポンプ４７を停止させる時間は６０秒以内と短くて済む。
【００４３】
ミストサウナ制御手段３１は、マイクロミストモードが終了するまで、上記一連の動作を繰り返し、ミストの供給動作の途中でドレン水を排水しながら、浴室２をミストサウナ状態にする。
【００４４】
ミストサウナ制御手段３１は、例えば浴室２が設定温度・設定湿度に到達し、マイクロミストモードが終了した場合には（Ｓ６：ＹＥＳ）、Ｓ１６において、ミスト用給水電磁弁３８を弁開状態から弁閉状態に切り換え、Ｓ１７において、暖房用電磁弁４８を弁開状態から弁閉状態に切り換え、Ｓ１８において、暖房用ポンプ４７を停止する。これにより、熱交換用温水が熱交換器４３やミスト用熱交換器２１に供給されなくなる。つまり、マイクロミストの浴室２への供給が終了する。
【００４５】
そして、ミストサウナ制御手段３１は、Ｓ１９において、ドレン電磁弁２８を弁閉状態から弁開状態に切り換え、ドレン配管２６を戻り配管４６に連通させる。そして、Ｓ２０において、ドレン排水ポンプ２７を駆動する。これにより、ドレンパン２５のドレン水は、その残量にかかわらず、戻り配管４６へ排水される。そして、Ｓ２１において、水位センサ３０の検知結果に基づいて、ドレン水がドレンパン２５に無くなったか否かを判断する。ミストモード終了前にドレンパン２５を空にするのは、ミストモード終了後や入浴時に蒸気が結露してドレンパン２５に溜まり、ドレン水がドレンパン２５から溢れることを未然に防止するためである。ドレンパン２５にドレン水が残っている間は（Ｓ２１：ＮＯ）、ドレン水の排水を続ける。
【００４６】
一方、ドレン水がドレンパン２５に無くなった場合には（Ｓ２１：ＹＥＳ）、Ｓ２２において、ドレン電磁弁２８を弁開状態から弁閉状態に切り換え、ドレン配管２６と戻り配管４６を非導通状態にする。そして、Ｓ２３において、ドレン排水ポンプ２７を停止させる。このように、ドレンパン２５が空になって、熱交換用温水の循環動作及びドレン水の排水動作が停止されると、ミストサウナ制御手段３１は動作を終了する。
【００４７】
以上説明したミストサウナ装置１０は、ミストを浴室２へ供給する通風路９（ミスト用通風路）と、ミスト用温水を発生させるためのミスト用熱交換器２１と、ミストを噴霧するミストノズル１６と、噴霧されたミストが通風路９内で結露して生じるドレン水を溜めるドレンパン２５とを有するミストサウナ装置１０において、温水配管４４とドレンパン２５とを接続するドレン配管２６と、ドレン配管２６上に配置されたドレン排水ポンプ２７、及びドレン電磁弁２８と、ドレンパン２５に溜まったドレン水の水位を測定する水位センサ３０と、水位センサ３０の測定値に基づいて、温水配管４４に熱交換用温水を送るための暖房用ポンプ４７、ドレン排水ポンプ２７、及び、ドレン電磁弁２８を制御するミストサウナ制御手段３１と、を有し、ミストサウナ制御手段３１が、水位センサ３０の測定値がドレンパン２５のドレン水を排水する基準となる排水必要水位以上になった場合に、暖房用ポンプ４７を停止させた後、ドレン排水ポンプ２７及びドレン電磁弁２８とを駆動することにより、ドレンパン２５に溜まったドレン水を、温水配管４４に送り込むので、ドレン配管２６を浴室２の排水路に接続する専用の排水配管工事を必要としない。この結果、本実施形態のミストサウナ装置１０は、従来のミストサウナ装置１１０と比べ、専用の排水配管工事を行う手間と施工費を削減できる。
【００４８】
また、本実施形態のミストサウナ装置１０は、ドレンパン２５に溜まるドレン水の量が５００ｍｌ以下であり、暖房用ポンプ４７を停止させる時間が、６０秒以内であるので、ドレン水の排水のために浴室内暖房用熱交換器４３及びミスト用熱交換器２１に熱交換用温水を供給する動作を停止する時間が短くて済み、ミストの発生動作の途中にドレン水を円滑に排水することができる。
【００４９】
本実施形態のミストサウナ装置１０を搭載する浴室暖房乾燥機１によれば、ミストサウナ装置１０を搭載していても、排水配管工事をしないで浴室に設置することができる。
【００５０】
続いて、ミストサウナ装置の参考例について説明する。
（参考例１）
図５は、参考例１のミストサウナ装置５１の概略構成図である。図５では、上記実施形態と同様の構成であるミスト発生回路（ミスト用熱交換器２１、ミスト用暖房配管２２（ミスト用戻り配管２３、ミスト用往き配管２４）、ミスト用給水配管３７、ミスト用温水供給配管３９、ミスト用給水電磁弁３８）と、暖房用電磁弁４８、暖房用ポンプ４７、浴室内暖房用熱交換器４３、水位センサ３０、リモコン４９、ミスト用給水電磁弁３８を制御するミストサウナ制御手段３１を省略して記載している。
ミストサウナ装置５１は、給湯暖房システムに使用される市販のトリプル配管５３が接続される。トリプル配管５３のうちの２本が往き配管４５と戻り配管４６に使用され、残りの１本がドレン配管５２に使用される。ドレン配管５２は、ドレンパン２５と浴室２の排水路に接続される。ドレンパン２５に溜まったドレン水は、自然落下により、ドレン配管５２を介して排水路へ排水される。
【００５１】
本参考例のミストサウナ装置５１は、ミストを浴室２へ供給する通風路９（ミスト用通風路）と、ミスト用温水を発生させるためのミスト用熱交換器２１と、ミストを噴霧するミストノズル１６と、噴霧されたミストが通風路９内で結露して生じるドレン水を溜めるドレンパン２５とを有するミストサウナ装置５１において、ドレンパン２５に接続するドレン配管５２と、浴室内暖房用熱交換器４３に供給される熱交換用温水が流れる往き配管４５と、浴室内暖房用熱交換器４３で熱回収された熱交換用温水が流れる戻り配管４６からなるトリプル配管５３を備えている。このミストサウナ装置５１は、トリプル配管５３のドレン配管５２をドレンパン２５と浴室２の排水路に接続すれば、ドレンパン２５のドレン水を浴室２の排水路へ排水できるので、専用の排水配管工事によりドレンパン２５を浴室２の排水路に接続する必要がない。その結果、ミストサウナ装置５１は、専用の排水配管工事の手間や施工費を削減できる。
尚、ドレン配管５２上にドレン排水ポンプを設け、ドレンパン２５に溜まったドレン水を強制排水するようにしても良いことは、言うまでもない。
【００５２】
（参考例２）
図６は、参考例２のミストサウナ装置６１の概略構成図である。図６では、主に温水配管４４とドレン配管６３における流体の流れを示しており、上述した実施形態と同様の構成であるミスト発生回路（ミスト用熱交換器２１、ミスト用暖房配管２２（ミスト用戻り配管２３、ミスト用往き配管２４）、ミスト用給水配管３７、ミスト用温水供給配管３９、ミスト用給水電磁弁３８）と、暖房用ポンプ４７、浴室内暖房用熱交換器４３、水位センサ３０、リモコン４９、ミスト用給水電磁弁３８を制御するミストサウナ制御手段の記載は省略している。
ミストサウナ装置６１は、往き配管４５と戻り配管６２により温水配管４４が構成されている。
【００５３】
図７は、参考例２のミストサウナ装置６１に使用される温水配管４４の構造を説明する図である。
温水配管４４は、市販のペア配管６５により構成されている。ペア配管６５は、往き配管４５と戻り配管６２をペアにしたものである。戻り配管６２の中にはドレン配管６３が入っている。ドレン配管６２は、直径が戻り配管６２の直径に対して３分の１〜４分の１程度であり、戻り配管６２の内周面とドレン配管６２の外周面との間に空隙が形成されている。この空隙により、熱交換器４３で熱回収された熱交換用温水がシスターン４２へ戻る流路が形成される。
【００５４】
図８は、参考例２のミストサウナ装置６１に使用される分岐継手６６の構造を示す図である。
分岐継手６６は、戻り配管６２とドレン配管６３をミストサウナ装置６１（浴室暖房乾燥機）に接続するために用いられる。分岐配管６６は、継手ボディ７１から分岐ポート６８が分岐している。戻り配管６２は、継手ボディ７１に接続される。ドレン配管６３は、戻り配管６２の中から、継手ボディ７１と分岐ポート６８を介して継手ボディ７１の外部へ引き出される。分岐ポート６８には、パッキン７２を介してジョイント７０が取り付けられる。パッキン７２は、分岐ポート６８とジョイント７０との間で押しつぶされ、戻り配管６２と継手ボディ７１との間を流れる熱交換用温水が漏れるのを防いでいる。ドレン配管６３は、ドレンパン２５に接続される。一方、継手ボディ７１の戻りポート６７は、ジョイント６９を介して熱交換器４３に接続される。
【００５５】
図６に示すように、戻り配管６２には、浴室２の排水路に接続する配管７３が接続されている。配管７３は、戻り配管６２内のドレン配管６３に接続され、ドレンパン２５のドレン水を浴室２の排水路へ排水できるようにしている。
【００５６】
上記ミストサウナ装置６１は、ペア配管６５が浴室暖房乾燥機（ミストサウナ装置６１）に接続される。そして、ペア配管６５の往き配管４５は、直接、熱交換器４３にジョイントを用いて接続される。一方、戻り配管６２とドレン配管６３は、分岐継手６６により分岐され、熱交換器４３とドレンパン２５にそれぞれ接続される。ミストサウナ装置６１は、ドレンパン２５に溜まったドレン水が、ドレン配管６３を介して浴室２の排水路へ常時排水される。
【００５７】
本参考例のミストサウナ装置６１は、ミストを浴室２へ供給する通風路９（ミスト用通風路）と、ミスト用温水を発生させるためのミスト用熱交換器２１と、ミストを噴霧するミストノズル１６と、噴霧されたミストが通風路９内で結露して生じるドレン水を溜めるドレンパン２５とを有するミストサウナ装置６１において、浴室内暖房用熱交換器４３に供給する熱交換用温水が流れる往き配管４５と、浴室内暖房用熱交換器４３で熱回収された熱交換用温水が流れる戻り配管６２の中に、ドレンパン２５に接続するドレン配管６３を配置して一組にしたペア配管６５と、前記ペア配管６５に取り付けられる分岐継手６６とを有し、分岐継手６６が、浴室内暖房用熱交換器４３に接続されて戻り配管６２を浴室内暖房用熱交換器４３に連通させる第１ジョント６９と、ドレン配管６３を引き出される第２ジョイント７０を有し、前記第２ジョイント７０から引き出したドレン配管６３をドレンパン２５に接続している。このミストサウナ装置６１は、ペア配管６５を浴室暖房乾燥機（ミストサウナ装置６１）に接続し、往き配管４５を熱交換器４３にジョイントで接続すると共に、戻り配管６２とドレン配管６３を分岐継手６６を用いて分岐させて熱交換器４３とドレンパン２５にそれぞれ接続すれば、ドレンパン２５のドレン水を浴室２の排水路へ排水できるので、専用の排水配管工事によりドレンパン２５を浴室２の排水路に接続する必要がない。この結果、ミストサウナ装置６１は、専用の排水配管工事の手間や施工費を削減できる。
尚、ドレン配管５２上にドレン排水ポンプを設け、ドレンパン２５に溜まったドレン水を強制排水するようにしても良いことは、言うまでもない。
【００５８】
尚、本発明は、上記実施形態に限定されることなく、色々な応用が可能である。
上記実施形態では、通風路９が、温風が流れる暖房用通風路と、マイクロミストが供給されるミスト用通風路を兼ねているが、従来技術のように、暖房用通風路とミスト用通風路を別々に設けても良い。
上記実施形態では、熱交換用温水がドレンパン２５へ逆流することを防止するために、逆止弁２９とドレン電磁弁２８を設けているが、逆止弁２９を省いてコストダウンしても良い。
【符号の説明】
【００５９】
１  浴室暖房乾燥機
９  通風路（ミスト用通風路の一例）
１０  ミストサウナ装置
１６  ミストノズル
２１  ミスト用熱交換器
２５  ドレンパン
２６  ドレン配管
２７  ドレン排水ポンプ
２８  ドレン電磁弁
３０  水位センサ
３１  ミストサウナ制御手段
４４  浴室内暖房用熱交換器用温水配管
４７  暖房用ポンプ
【図１】
2014018596.tif 000003
【図２】
2014018596.tif 000004
【図３】
2014018596.tif 000005
【図４】
2014018596.tif 000006
【図５】
2014018596.tif 000007
【図６】
2014018596.tif 000008
【図７】
2014018596.tif 000009
【図８】
2014018596.tif 000010
【図９】
2014018596.tif 000011